(57)【要約】【課題】  撮影した画像をＣＤ−Ｒ、ＤＶＤ等のディスク記憶媒体の表面に印刷するにあたって、該画像の所要の部位を適切かつ確実に選択して印刷することができるようにする。【解決手段】  撮像装置１は、被写体を電子的に撮影する手段（ＣＣＤ２）と、この撮影手段により撮影される画像を表示するための表示手段（ＬＣＤ１２）と、撮影された画像を保存する手段（ＳＤＲＡＭ１０）等を備えている。ディスク印刷モードが設定されたときに前記表示手段に表示されるドーナツ状の透過部を有するディスク印刷用テンプレートを備え、このディスク印刷用テンプレートを表示手段に表示した状態で撮影を行うように構成する。【選択図】      図１
2007174599.tif 000002
【特許請求の範囲】
【請求項１】
被写体を電子的に撮影する手段と、この撮影手段により撮影される画像を表示するための表示手段と、撮影された画像を記憶する手段とを備えてなる撮像装置において、
ディスク印刷モードが設定されたときに前記表示手段に表示されるディスク印刷用テンプレートを備え、
このディスク印刷用テンプレートを表示手段に表示した状態で撮影を行うように構成したことを特徴とする撮像装置。
【請求項２】
請求項１記載の撮像装置において、
前記撮像装置は、ディスク印刷用テンプレートを、撮影した画像と合成させる手段を備え、
この合成画像を前記記憶手段に記憶するように構成したことを特徴とする撮像装置。
【請求項３】
請求項１または請求項２記載の撮像装置において、
ディスク印刷用テンプレートは、ドーナツ状の透過部とそれ以外の不透過部とによって構成されていることを特徴とする撮像装置。
【請求項４】
請求項１または請求項２記載の撮像装置において、
ディスク印刷用テンプレートは、ドーナツ状の透過部とそれ以外の半透過部とによって構成されていることを特徴とする撮像装置。
【請求項５】
請求項１ないし請求項４のいずれか１項に記載の撮像装置において、
撮像装置は、ディスク印刷モードが設定されたときに元画像を保存するモードを備えており、この元画像保存モードでは、撮影した元画像と、ディスク印刷用テンプレートと撮影画像との合成画像とを記憶するように構成したことを特徴とする撮像装置。
【発明の詳細な説明】
【技術分野】
【０００１】
本発明は、ＣＣＤなどによる撮像手段と撮影した画像を表示するＬＣＤ（液晶モニタ）などの表示手段と撮影画像データを記憶する画像記憶手段とを備えてなるデジタルスチルカメラ等の撮像装置に関する。
【背景技術】
【０００２】
デジタルカメラ、特にデジタルスチルカメラが普及の一途を辿っている。この種のデジタルスチルカメラ等の撮像装置が幅広く普及した要因の一つに、デジタルならではの各種処理を行えるということがある。特に、撮影した後の撮影画像の各種の処理や、画像の保存の融通性は、従来の銀塩フィルム式のスチルカメラでは得ることができない大きな利点である。
【０００３】
すなわち、この種のデジタルスチルカメラでは、撮影した画像は撮影した順序でメモリなどの記憶媒体に記憶保存され、日付、番号などのファイル名によって管理されている。そして、この撮影画像ファイルは、カメラ内またはカメラに接続されるパーソナルコンピュータ内の制御手段により適宜呼び出されて再生表示されたり、適宜の画像処理等が行われるようになっている。
【０００４】
ところで、この種のデジタルスチルカメラで撮影したデジタル画像を保存のために、ＣＤ−Ｒ、ＤＶＤ等のディスク記憶媒体に記憶して保存することが一般的になってきている。さらに、このようなＣＤ−Ｒ、ＤＶＤ等のディスク記憶媒体の表面がプリンタブルタイプである場合に、保存した写真の一部を使った画像を、該ディスク記憶媒体の表面に印刷することも一般的となっている（例えば、特許文献１参照）。
また、音楽用ＣＤ−Ｒやデータ用ＤＶＤなどのラベルをプリンタで印刷することも一般に行われている。
【０００５】
【特許文献１】特開２００３−１８７３号公報
【発明の開示】
【発明が解決しようとする課題】
【０００６】
しかし、上述したＣＤ−ＲやＤＶＤ等のディスク記憶媒体の表面は、いわゆる円盤状であって、印刷すべき領域がいわゆるドーナツ形状であるため、長方形の写真から所望の部位をうまくカットして印刷することが難しいという問題があった。
【０００７】
本発明はこのような事情に鑑みてなされたものであり、撮影した画像をＣＤ−Ｒ、ＤＶＤ等のディスク記憶媒体の表面に印刷するにあたって、該画像の所要の部位を適切かつ確実に選択して印刷することができるようにした撮像装置を得ることを目的とする。
【課題を解決するための手段】
【０００８】
このような目的に応えるために本発明（請求項１記載の発明）に係る撮像装置は、被写体を電子的に撮影する手段と、この撮影手段により撮影される画像を表示するための表示手段と、撮影された画像を記憶する手段とを備えてなる撮像装置において、ディスク印刷モードが設定されたときに前記表示手段に表示されるディスク印刷用テンプレートを備え、このディスク印刷用テンプレートを表示手段に表示した状態で撮影を行うように構成したことを特徴とする。
【０００９】
本発明（請求項２記載の発明）に係る撮像装置は、請求項１において、撮像装置は、ディスク印刷用テンプレートを、撮影した画像と合成させる手段を備え、この合成画像を前記記憶手段に記憶するように構成したことを特徴とする。
【００１０】
本発明（請求項３記載の発明）に係る撮像装置は、請求項１または請求項２において、ディスク印刷用テンプレートは、ドーナツ状の透過部とそれ以外の不透過部とによって構成されていることを特徴とする。
【００１１】
本発明（請求項４記載の発明）に係る撮像装置は、請求項１または請求項２において、ディスク印刷用テンプレートは、ドーナツ状の透過部とそれ以外の半透過部とによって構成されていることを特徴とする。
【００１２】
本発明（請求項５記載の発明）に係る撮像装置は、請求項１ないし請求項４のいずれか１項において、撮像装置は、ディスク印刷モードが設定されたときに元画像を保存するモードを備えており、この元画像保存モードでは、撮影した元画像と、ディスク印刷用テンプレートと撮影画像との合成画像とを記憶するように構成したことを特徴とする。
【発明の効果】
【００１３】
以上説明したように本発明に係る撮像装置によれば、ドーナツ状の透過部を有するＣＤやＤＶＤなどのディスク印刷用テンプレートを用いることにより、ＣＤ−Ｒ等のディスク記憶媒体の表面に印刷する画像をＬＣＤ等の表示手段を見ながら撮影できるようにしているから、簡単な構成であるにもかかわらず、ディスク印刷用の画像データを、簡単にしかも適切に作成することが可能であるという優れた効果がある。
【００１４】
また、このような本発明によれば、ディスク印刷用テンプレートデータをメモリ等の記憶手段に格納し、このテンプレートデータと撮影した画像データとを合成してディスク印刷用の画像データを作成するように構成しているから、カメラ等の撮像装置のＬＣＤ等を見ながらＣＤ−Ｒ、ＤＶＤ等のディスク記憶媒体の表面への印刷用として好適な構図を決めて撮影することができるものであり、誰でもが簡単にしかも確実に、所要の状態でのディスク印刷用画像データを得ることができるという利点がある。
【発明を実施するための最良の形態】
【００１５】
図１ないし図３は本発明に係る撮像装置の一実施形態を示す。
これらの図において、デジタルスチルカメラとしての撮像装置１の内部回路は、概略、図１に示すように構成されている。この回路構成自体は一般的なものであるので、ここでは簡潔に説明する。
【００１６】
すなわち、この種の撮像装置１は、画像を撮像する撮像手段としてのＣＣＤ２を備え、ここで撮像された撮像画像は、ＣＣＤ制御回路（垂直／水平ドライバ）３の制御により取り込まれ、ＣＤＳ／ＡＤ（相関２重サンプリング／ＡＤ変換回路）１３、画像処理回路１４を介して制御手段としてのＣＰＵ４に送られるように構成されている。
【００１７】
５は撮影レンズ（レンズブロック）、６はレンズ駆動用のモーター、７はモーター６を駆動制御するレンズ制御回路（モータードライバ）であり、ＣＰＵ４により制御されるようになっている。
【００１８】
８はストロボであり、また９はＳＤカードやＨＤＤ（ハードディスク）等の外部メモリ、１０はワークメモリとして使われるＳＤＲＡＭ、１１は画像データを保存するフラッシュメモリである。
前記ＣＣＤ２で撮影された撮影画像は、これらのＳＤＲＡＭ１０等の記憶装置に順次記憶されるように構成されている。
【００１９】
すなわち、ＣＣＤ２から取り込まれた撮像データは、ＣＤＳ／ＡＤ（相関２重サンプリング／ＡＤ変換回路）１３でデジタル信号に変換され、画像処理回路１４で適宜演算処理を行ってＳＤＲＡＭ１０内のワークメモリにベイヤーデータ若しくはＲ、Ｇ、ＢデータまたはＹ、Ｕ、Ｖデータの形で記憶される。そして、画像処理回路１４またはＣＰＵ４によってＪＰＥＧ形式の圧縮データに変換されてフラッシュメモリ１１に保存される。
【００２０】
１２は表示手段としてのＬＣＤ（液晶モニタ）、１２ａは照明用のバックライトであり、ＣＣＤ２で撮影された画像またはフラッシュメモリ１１に保存されている画像が表示される。
なお、１５はマイク１５ａやスピーカ１５ｂに接続された音声チップ、１６は周辺機器制御用のマイコン（ＣＰＵ４と兼用でもよい）、１７は電源、１８はバッテリー、１６ａはキーである。さらに、１９は撮像装置１各部のドライバ等をクロック制御するためのＴＧ（タイミングジェネレータ）で、ＣＰＵ４に接続されている。
【００２１】
このような構成による撮像装置１では、レンズブロック５を通して装置内に取り込まれた光は、ＣＣＤ２を通して電気信号に変換される。変換された電気信号は、内部処理でＡ−Ｄ変換が実施されて処理可能な状態となり、表示手段であるＬＣＤ１２に表示される。この状態において、各種画像処理を実行した後、撮影ボタンを実行すると、画像の圧縮処理が行われて記憶手段であるフラッシュメモリ１１や外部メモリ９等に記憶保存されることになるのである。
【００２２】
さて、本発明によれば、上述した構成による撮像装置１において、図３（ｂ）に示すように、ドーナツ状の透過部とそれ以外の不透過部とからなりＬＣＤ１２に表示されるＤＶＤ印刷用テンプレート（以下、ＤＶＤテンプレートという）を備えている。そして、このＤＶＤテンプレートを、ＤＶＤ印刷モードが設定されたときにＬＣＤ１２に表示した状態で撮影を行うように構成されている。
【００２３】
また、撮像装置１は、ＤＶＤテンプレートを、撮影した画像と合成させる手段を備え、この合成画像データを外部メモリ９またはＳＤＲＡＭ１０等の記憶手段に記憶するように構成されている。
【００２４】
上述した撮像装置１での撮影モード（ＲＥＣモード）での動作を、図２を用いて以下に説明する。
まず、Ｓ１０１に示すように撮影Ｒ、Ｇ、Ｂデータ（スルー用間引きデータ）を取得し、Ｓ１０２で撮影Ｙ、Ｕ、Ｖデータ（ＶＧＡサイズのデータ）を生成する。確認用なので小さい画像でよい。この状態の画像を、図３（ａ）に示す。
【００２５】
次いで、撮像装置１がＤＶＤ印刷モードに設定されているか否かをＳ１０３で判断し、ＤＶＤ印刷モードに設定されている場合は、Ｓ１０４に進み、この撮影データ（Ｙ、Ｕ、Ｖデータ）とＤＶＤ印刷用テンプレートとしてのＤＶＤテンプレートＹ、Ｕ、Ｖを合成する。ここで、ＤＶＤテンプレートＹ、Ｕ、Ｖを図３（ｂ）に示す。
【００２６】
このＤＶＤテンプレートＹ、Ｕ、Ｖデータは、図１中のフラッシュメモリ１１に格納されていて、図３（ｂ）のようにドーナツ型で白い部分にはデータはなく、その他の部分はたとえば青色のデータが入っている。（ここでは一例として青色としたが空などを撮影する場合は、色の境界が分らなくなってしまうので、色は自由に設定できる。）
【００２７】
Ｓ１０５では、この合成データをＬＣＤ（液晶モニタ）１２に表示する。撮影者はこの表示を見ることで、ＣＤ−Ｒ等の表面に印刷しようとする画像がどのようになるかわかる。
そして、構図が決まったところで、Ｓ１０６に示すようにシャッターを押すと、この図３（ｃ）に示すような合成した画像が保存されることになる。
【００２８】
なお、シャッターが全押しされていないときは、Ｓ１０１に戻り、上記の動作を繰り返す。また、Ｓ１０３で撮像装置１がＤＶＤ印刷モードに設定されていないときは、Ｓ１０５に進み、通常の画像をＬＣＤ（液晶モニタ）１２に表示する。
【００２９】
Ｓ１０６でシャッターが全押し操作されると、Ｓ１０７に進み、フルサイズの撮影Ｒ、Ｇ、Ｂデータを取得し、Ｓ１０８で撮影Ｙ、Ｕ、Ｖデータを生成し、Ｓ１０９で撮影Ｙ、Ｕ、ＶデータとＤＶＤテンプレートＹ、Ｕ、Ｖを合成して、合成画像が得られることになる。この合成画像をＳ１１０でＪＰＥＧ圧縮し、Ｓ１１１でメモリ（フラッシュメモリ１１、外部メモリ９等）に格納されることになる。
【００３０】
以上のように本発明による撮像装置１では、ＤＶＤテンプレートＹＵＶデータを利用し、撮像装置１による撮影時に、予め構図を決めてＤＶＤ印刷用の画像を撮影し、それを記憶するようになっており、画像のＤＶＤへの印刷を、所要の構図で簡単かつ確実に行うことができるという利点がある。
【００３１】
上述したＤＶＤ印刷モードでの撮影時において、ＤＶＤの表面に印刷する以外の画像を半透明とした方が構図が撮りやすい場合には、図４に示すようなフローチャートとなる。
ここで、上記の図２のフローチャートと相違するところを説明すると、Ｓ１０３で撮像装置１がＤＶＤ印刷モードに設定されている場合には、Ｓ１２０に進み、撮影データ（Ｙ、Ｕ、Ｖデータ）とＤＶＤテンプレートＹ、Ｕ、Ｖを５０％で合成する。そして、その状態をＬＣＤ（液晶モニタ）１２に表示することになる。この状態を図中に例示しており、ＤＶＤテンプレートＹ、Ｕ、Ｖのドーナツ状部分が透過して見え、それ以外の部分が半透明な状態となるのである。
【００３２】
このようにすれば、撮像装置１を用いてＤＶＤ印刷用の画像を得るにあたって、撮影しようとする構図の全体を見ながら、印刷する部分を把握できるものであり、その利点は大きい。
【００３３】
また、上述したＤＶＤ印刷モードであっても、元の写真（撮影した画像）も保存したい場合がある。このような場合には、その旨のモード設定を行い、図５に示すようなステップで撮影を行うとよいものである。
【００３４】
すなわち、Ｓ１０１からＳ１０８までは、図２に示すフローチャートと同じである。そして、撮影Ｙ、Ｕ、Ｖデータの生成が行われた後、Ｓ１３０に進み、元の画像を保存するモードであるか否かの判断が行われる。そうでなければ、Ｓ１３５に進んでメモリへの格納が行われる。
【００３５】
一方、元画像を保存するモードであるときには、Ｓ１３１のＪＰＥＧ圧縮、Ｓ１３２のメモリへの格納が行われ、次にＳ１３３で撮影Ｙ、Ｕ、ＶデータとＤＶＤテンプレートＹ、Ｕ、Ｖを合成して、合成画像が得られることになる。この合成画像をＳ１３４でＪＰＥＧ圧縮し、Ｓ１３５でメモリ（フラッシュメモリ１１、外部メモリ９等）に格納すればよい。
【００３６】
このようにすれば、ＤＶＤ印刷用の画像データと通常の撮影画像データとを共に得ることができるのである。
【００３７】
以上説明したように、本発明によれば、撮影時にディスク記憶媒体の表面に最適な構図で撮影することができるから、撮影後に画像加工によってディスク記憶媒体の表面に合うように印刷データを作成するよりも効率的に印刷データを作成することができる。
【００３８】
なお、本発明は上述した実施の形態で説明した構造には限定されず、撮像装置１を構成する各部の形状、構造等を適宜変形、変更し得ることはいうまでもない。
また、上述した実施形態では、ディスク記憶媒体であるＤＶＤの表面への印刷を行う場合を説明したが、本発明はこれに限定されず、たとえばＣＤ−Ｒ等のディスク記憶媒体の表面への印刷にあたっても同様に適用できることは言うまでもない。
【図面の簡単な説明】
【００３９】
【図１】本発明に係る撮像装置の一実施形態を示す概略構成図である。
【図２】本発明に係る撮像装置の一実施形態を示すフローチャートである。
【図３】（ａ）、（ｂ）、（ｃ）は図２のフローチャートによる撮影時の画像を説明するための図である。
【図４】本発明に係る撮像装置の別の実施形態を示すフローチャートである。
【図５】本発明に係る撮像装置のさらに別の実施形態を示すフローチャートである。
【符号の説明】
【００４０】
１…撮像装置（デジタルスチルカメラ）、２…ＣＣＤ（撮像手段）、３…ＣＣＤ制御回路（垂直／水平ドライバ）、４…ＣＰＵ（制御手段）、５…撮影レンズ（レンズブロック）、６…レンズ駆動用モーター、７…レンズ制御回路（モータードライバ）、８…ストロボ、９…外部メモリ、１０…ＳＤＲＡＭ、１１…フラッシュメモリ、１２…ＬＣＤ（液晶モニタ；表示手段）。
【図１】
2007174599.tif 000003
【図２】
2007174599.tif 000004
【図３】
2007174599.tif 000005
【図４】
2007174599.tif 000006
【図５】
2007174599.tif 000007